(57)【要約】【課題】床暖房パネルが再使用可能であるとともに、床材部分等、表層を簡単にリフォームすることのできる床暖房装置およびそのリフォーム方法を提供する。【解決手段】発熱体４を断熱性の基板３に内設してなる床暖房パネルＡを、床下地Ｆに一定間隔で設けられた小根太５間に埋設し、上記床暖房パネルＡと小根太５との上面には小根太５へ固定具により固定された複合均熱板１が該床暖房パネルＡとは非接着で覆設され、さらにこの複合均熱板１に床材２が接着して形成された床暖房装置であって、該複合均熱板１は薄板材１１と均熱シート１２とが複合されてなる床暖房装置、およびそのリフォーム方法。【選択図】図１
2008051422.tif 000002
【特許請求の範囲】
【請求項１】
発熱体を断熱性の基板に内設してなる床暖房パネルを、床下地に一定間隔で設けられた小根太間に埋設し、上記床暖房パネルと小根太との上面には小根太へ固定具により固定された複合均熱板が該床暖房パネルとは非接着で覆設され、さらにこの複合均熱板に床材が接着して形成された床暖房装置であって、該複合均熱板は薄板材と均熱シートとが複合されてなる床暖房装置。
【請求項２】
上記複合均熱板は薄板材の上に均熱シートを貼着してなるとともに、該複合均熱板の上面には、床下地に固定された小根太の間隔と略同一間隔でマーキングが施された請求項１に記載の床暖房装置。
【請求項３】
上記固定具として釘を用いて複合均熱板を小根太へ釘固定し、該複合均熱板が床暖房パネルとは非接着で覆設された請求項１に記載の床暖房装置。
【請求項４】
発熱体を断熱性の基板に内設してなる床暖房パネルを、床下地に一定間隔で設けられた小根太間に埋設し、上記床暖房パネルと小根太との上面には小根太へ固定具により固定された複合均熱板が床暖房パネルとは非接着で覆設され、さらにこの複合均熱板に床材が接着して形成され、該複合均熱板は薄板材と均熱シートとが複合されてなる床暖房装置のリフォーム方法であって、非補修床材と複合均熱板とを接着したまま剥がし、小根太上に残留した固定具を取り除き、小根太間に埋設された床暖房パネルを再使用する床暖房装置のリフォーム方法。
【発明の詳細な説明】
【技術分野】
【０００１】
本発明は、床暖房装置に関する。さらに詳しくは、発熱部を再使用可能とし、表層の床材のみ簡単にリフォームできる床暖房装置およびそのリフォーム方法に関する。
【背景技術】
【０００２】
近年、温水パイプ、電熱ヒータ等の発熱体を床下地に埋設し、部屋全体を暖房する床暖房装置が普及しつつある。通常、この種の公知の床暖房装置は、本願図５に示すように、合板等を捨て貼りした床下地Ｆの上に床暖房パネルＡを敷設し、床暖房パネルＡの上面に床材２ａを貼って施工される。通常、発泡スチレン等、断熱性の基板３に温水パイプ、電熱ヒータ等の発熱体４を埋設してなる上記床暖房パネルＡと、床下地Ｆ上に床材２ａを固定するために一定間隔で設けられた小根太５との上面には、均熱材としてアルミニウム箔等の金属箔８が一体的に貼着されている。なお、符号９は上記小根太５を貫通して床材２ａを床下地Ｆに固定するための床材固定用釘を示す。
【０００３】
一方、上記の床暖房装置においては、床材の修繕やリフォームを行うために床材を剥がすと、床材と一緒に均熱材も剥がれ、この均熱材と一体的に貼着された床暖房パネルも傷むという問題がある。そこで、下記特許文献１には小根太と小根太との間の部分の位置と対応する部分の均熱材の上面に接着剤が接着しない非接着層を設け、床材を剥がしたとき小根太部分以外の剥離性がよく、施工性の向上した床暖房装置が開示されている。
【特許文献１】特開２００２−２７６９６８号公報（第１〜４頁、第１図（ａ）、（ｂ））
【発明の開示】
【発明が解決しようとする課題】
【０００４】
しかしながら、上記特許文献１に記載の床暖房装置は、小根太部分には接着剤を塗布するとともに、非接着部分には、ポリエチレンイミンオクタデクルカルバメイト等の非接着性樹脂を塗布する必要があり、製造工程が煩雑で、コスト的に有利ではないという問題がある。
【０００５】
本発明はこのような問題を解決して、簡単に、作業性よく施工でき、床暖房パネルが再使用可能であるとともに、床材部分等、表層を簡単にリフォームすることのできる床暖房装置およびそのリフォーム方法を提供することを、その課題とする。
【課題を解決するための手段】
【０００６】
上記課題を解決するために、本発明においては、つぎのような技術的手段を講じている。すなわち、請求項１に記載の発明によれば、発熱体を断熱性の基板に内設してなる床暖房パネルを、床下地に一定間隔で設けられた小根太間に埋設し、上記床暖房パネルと小根太との上面には小根太へ固定具により固定された複合均熱板が該床暖房パネルとは非接着で覆設され、さらにこの複合均熱板に床材が接着して形成された床暖房装置であって、該複合均熱板は薄板材と均熱シートとが複合されてなる床暖房装置が提供される。上記固定具としては、とくに限定されず、ビス、釘等が用いられる。また、上記均熱シートとしては、アルミ箔等、金属箔が用いられる。
【０００７】
請求項２に記載の床暖房装置は、請求項１に記載の発明に加えて、上記複合均熱板は薄板材の上に均熱シートを貼着してなるとともに、該複合均熱板の上面には、床下地に固定された小根太の間隔と略同一間隔でマーキングが施されることが好ましい。上記薄板材としては、厚さ３〜５ｍｍの合板が好ましく用いられ、均熱シートとしてはアルミ箔が好ましく用いられる。また、上記均熱シートとアルミ箔とは粘着剤により粘着してもよい。また、接着剤により接着してもよい。
【０００８】
請求項３に記載の床暖房装置は、請求項１に記載の発明に加えて、上記固定具として釘を用いて複合均熱板を小根太へ釘固定し、該複合均熱板が床暖房パネルとは非接着で覆設されることが好ましい。
【０００９】
請求項４に記載の発明によれば、発熱体を断熱性の基板に内設してなる床暖房パネルを、床下地に一定間隔で設けられた小根太間に埋設し、上記床暖房パネルと小根太との上面には小根太へ固定具により固定された複合均熱板が床暖房パネルとは非接着で覆設され、さらにこの複合均熱板に床材が接着して形成され、該複合均熱板は薄板材と均熱シートとが複合されてなる床暖房装置のリフォーム方法であって、非補修床材と複合均熱板とを接着したまま剥がし、小根太上に残留した固定具を取り除き、小根太間に埋設された床暖房パネルを再使用する床暖房装置のリフォーム方法が提供される。上記固定具としては、釘を用いることが好ましい。
【発明の効果】
【００１０】
請求項１に記載の発明にかかる床暖房装置は上記のとおりであり、床下地に一定間隔で設けられた小根太間に埋設された床暖房パネルの上面には、小根太へ固定具により固定された複合均熱板が床暖房パネルと非接着で覆設され、この複合均熱板に床材が接着して形成されているため、床材を部分的に補修するときや、全面的にリフォームするとき、床暖房パネルと非接着である複合均熱板を床材と一緒に簡単に取り去ることができる。その結果、床暖房パネルが傷むことなく、再使用できるため、資源的にもコスト的にも有利となる。
【００１１】
請求項２に記載の床暖房装置は上記のとおりであり、請求項１の床暖房装置の有する効果に加え、上記複合均熱板は薄板材の上に均熱シートを貼着してなるため、例えば、均熱シートとして、アルミ箔を用いるとき、薄板材でバッキングすることにより、作業性よく、接着剤を塗布することができる。また、該複合均熱板の上面には、床下地に固定された小根太の間隔と略同一間隔でマーキングが施されているため、このマーキングを目印にすることにより、確実に小根太にビスや釘等の固定具を打ち込むことが可能となり、誤って床暖房パネルを傷付けることを防げる。
【００１２】
請求項３に記載の床暖房装置は上記のとおりであり、請求項１の床暖房装置の有する効果に加え、上記固定具として釘を用いることにより、複合均熱板を小根太へ作業性よく釘打ちすることが可能となり、床暖房パネルに非接着で複合均熱板を覆設することができる。
【００１３】
請求項４に記載の床暖房装置のリフォーム方法は上記のとおりであり、床下地に一定間隔で設けられた小根太間に埋設された床暖房パネルを、上記小根太に釘等の固定具で固定された複合均熱板によって非接着で覆うことができ、かつ、複合均熱板が床材の裏面に接着されているため、上記床材を補修するとき、薄板材と均熱シートとが複合されてなる複合均熱板を、非補修床材と一緒に除去することが可能となり、作業性よくリフォームを行うことができる。また、小根太上に残留した釘等の固定具を取り除くことにより、小根太間に埋設された床暖房パネルを再使用できるため、省資源、かつ、低コストで床暖房装置のリフォームを行うことができる。
【発明を実施するための最良の形態】
【００１４】
以下、本発明の実施形態について図面を参照して詳細に説明する。図１は本発
明にかかる床暖房装置の構成を示す分解斜視図である。図１において、床暖房パネルＡは発熱体４を断熱性の基板３に内設してなり、小根太５と小根太５との間に埋設されている。上記小根太５は、小根太固定用ビス６によって一定間隔で床下地Ｆに固定され、この小根太５に複合均熱板１が釘７で釘止めされる。上記複合均熱板１は薄板材１１の上に均熱シート１２が接着剤等で接着されてなり、この複合均熱板１の上には、釘７が確実に小根太５に打ち込まれるように、床下地に固定された小根太５の間隔と略同一間隔でマーキングＭが施されている。
【００１５】
図２は上記のようにして床暖房パネルＡと小根太５との上面に、複合均熱板１を該床暖房パネルＡとは非接着で覆設するとともに、さらにこの複合均熱板１の上に床材２を施工した状態を示す断面図である。通常、上記床材２としては、化粧合板類が用いられるため、床材２と複合均熱板１とは接着剤によって接着される。また、図２に示すように、小根太固定用ビス６としては小根太５の上面の平面性を保つために平ビスが用いられ、釘７は上記マーキングＭを目印にして打ち込まれるとともに、複合均熱板１は小根太５上に固定される。
【００１６】
つぎに、本発明の床暖房装置を用いて床材２を部分補修したり、床面全体をリフォームする方法について説明する。まず、図３に示すように、非補修床材２ａをその下面に複合均熱板１を接着したまま剥がし、実結合等を外して分解する。このとき、複合均熱板１は釘７によって小根太５に固定されているため、釘７の周辺部は小根太５上に残留するが、複合均熱板１の他の部分は床暖房パネルＡとは非接着であり、非補修床材２ａと一緒に簡単に取り除くことができる。
【００１７】
図４は、図３における釘７を取り除き、釘穴の補修等を行った後の状態を示す断面図である。図４に示すように、床暖房パネルＡは床下地Ｆに固定された小根太５と小根太５との間に埋設された状態であり、床暖房パネルＡは再使用できる。このように、本発明にかかる床暖房装置を用いれば、床材２や複合均熱板１等、床暖房装置の表層部分のみを簡単に取り除くことができるとともに、床暖房パネルＡを再使用して床面のみを簡単にリフォームすることができる。
【００１８】
なお、上記実施形態においては、複合均熱板１として、薄板材１１の上に均熱シート１２を接着した形態のものを用いたが、均熱シート１２の上に薄板材１１を接着して用いてもよい。また、小根太固定用ビス６に替えて釘を用いてもよい。このように、本発明は設計変更自在であり、特許請求の範囲を逸脱しない限り、いずれの場合も本発明の技術的範囲に属する。
【図面の簡単な説明】
【００１９】
【図１】本発明にかかる床暖房装置の構成を示す分解斜視図である。
【図２】本発明にかかる床暖房装置を示す断面図である。
【図３】本発明にかかる床暖房装置のリフォーム方法を示す説明図である。
【図４】本発明にかかる床暖房装置のリフォーム方法により再使用可能となった床暖房パネルを示す断面図である。
【図５】公知の床暖房装置を示す断面図である。
【符号の説明】
【００２０】
Ａ          床暖房パネル
Ｆ          床下地
Ｍ          マーキング
１          複合均熱板
１１        薄板材
１２        均熱シート
２          床材
３          基板
４          発熱体
５          小根太
６          小根太固定用ビス
７          釘
２ａ        公知の床暖房装置における床材
８          金属箔
９          床材固定用釘
【図１】
2008051422.tif 000003
【図２】
2008051422.tif 000004
【図３】
2008051422.tif 000005
【図４】
2008051422.tif 000006
【図５】
2008051422.tif 000007